(57)【要約】      （修正有）【課題】鼠が適応しにくく、鼠害防止の効果とその有効範囲が理想的な鼠害防止器の音波発生装置を提供する。【解決手段】鼠害防止器の音波発生装置は、１つのケーシングと、ケーシングの内部に設けた制御回路と、から構成される。制御回路には、オーディオ発振ＩＣと、可変抵抗と、複数のコンデンサーと、トランジスタと、抵抗と、１つの発光ダイオードと、１つのスイッチと、１つの受電端子と、圧電スピーカと、を具備する。圧電スピーカと、可変抵抗と、スイッチと、受電端子と、はケーシングの外まで現し、受電端子に、１つの変圧器を配設する。【選択図】図１
0003158679.tif 000002
【実用新案登録請求の範囲】
【請求項１】
鼠害防止器の音波発生装置であって、その構造は、１つのケーシングと、該ケーシングの内部に設けた制御回路と、から構成され、前記制御回路には、少なくとも、１つのオーディオ発振ICと、可変抵抗と、複数のコンデンサーと、トランジスタと、抵抗と、１つの発光ダイオードと、１つのスイッチと、１つの受電端子と、少なくとも、１セットの圧電スピーカと、を具備し、前記スピーカと、可変抵抗と、スイッチと、受電端子と、はケーシングの外まで現し、前記受電端子に、１つの変圧器１９を配設し、可変抵抗の調整と、変圧器の増圧と、に通じて、オーディオ発振ICの音波周波数を変化することを特徴とする鼠害防止器の音波発生装置。
【請求項２】
前記１セットのスピーカは、ケーシングのなかに、１つの管体と、１つの底蓋と、スピーカの前端に設けた上蓋と、からなり、前記上蓋は、底蓋とともに、スピーカと管体を挟んで、ねじを用いて締め付け、共鳴胴となることを特徴とする請求項１に記載の鼠害防止器の音波発生装置。
【請求項３】
前記管体は、金属、或いは、プラスチック材質からなるでもよいことを特徴とする請求項２に記載の鼠害防止器の音波発生装置。
【請求項４】
前記圧電スピーカは、超音域圧電スピーカであることを特徴とする請求項１に記載の鼠害防止器の音波発生装置。
【考案の詳細な説明】
【技術分野】
【０００１】
この考案は鼠害防止器に関し、特に、音波発生装置に関する。
【背景技術】
【０００２】
従来の鼠害防止器は、発振回路より超音波周波数を発生し、超音波より鼠の出没を禁ずる。
【考案の開示】
【考案が解決しようとする課題】
【０００３】
前述従来の鼠害防止器は、もしは、単一の音波パターンで、重ねって一定時間に使用すれば、鼠が適応するとなり、或いは、乱数発生器より、音波パターンを変化し、鼠の適応することを妨害するが、音圧が低いので、鼠害防止の効果とその有効範囲が理想できない。
この考案は、以上の問題を解決し、有効な鼠害防止器の音波発生装置を提供することを課題とする。
【課題を解決するための手段】
【０００４】
そこで、本考案者は従来の技術に見られる欠点に鑑み鋭意研究を重ねた結果、鼠害防止器の音波発生装置の構造は、１つのケーシングと、該ケーシングの内部に設けた制御回路と、から構成され、前記制御回路には、少なくとも、１つのオーディオ発振ICと、可変抵抗と、複数のコンデンサーと、トランジスタと、抵抗と、１つの発光ダイオードと、１つのスイッチと、１つの受電端子と、少なくとも、１セットの圧電スピーカと、を具備し、前記スピーカと、可変抵抗と、スイッチと、受電端子と、はケーシングの外まで現し、前記受電端子に、１つの変圧器１９を配設し、可変抵抗の調整と、変圧器の増圧と、に通じて、オーディオ発振ICの音波周波数を変化する。
前記１セットのスピーカは、ケーシングのなかに、１つの管体と、１つの底蓋と、スピーカの前端に設けた上蓋と、からなり、前記上蓋は、底蓋とともに、スピーカと管体を挟んで、ねじを用いて締め付け、共鳴胴となる。
前記圧電スピーカは、少なくとも、その１つが超音域圧電スピーカである。
前記管体は、アルミ、金属、或いは、プラスチック材質からなるでもよい。
【考案の効果】
【０００５】
この考案によれば、鼠害防止器の音波発生装置には、
１．伝統的な電子回路を用いて、変圧器の増圧で、高音圧の効果を達し、可変抵抗VRで、周波数の変化を調整する。
２．スピーカが、封止共鳴胴なかの共振効果より、さらに、音圧を高める。
この考案の鼠害防止器の音波発生装置は高低音域と高低音圧の変化あり音波を発生し、鼠害防止に貢献する。
【実施例】
【０００６】
図１，２，５に示すように、この考案の第１実施例を開示する。図面によれば、この考案による鼠害防止器の音波発生装置には、１つのケーシング１０と、ケーシング１０の内部に設けた制御回路１１と、ケーシング１０の後端に結合し、ねじ３１で締め付ける蓋板３０と、で構成された。図５に示すように、該制御回路１１には、２つのオーディオ発振IC１２と、可変抵抗１３と、複数のコンデンサーと、トランジスタと、抵抗と、１つの発光ダイオード１４と、１つのスイッチ１５と、１つの受電端子１６と、２つのスピーカ１７と、からなり、該スピーカ１７は、圧電スピーカ、或いは、圧電超音域スピーカであり、主体には、１つの管体２０と、１つの底蓋２１と、スピーカ１７の前端に設けた上蓋２２と、からなり、前記上蓋２２は、底蓋２１とともに、スピーカ１７と管体２０を挟んで、ねじ２３を用いて締め付け、共鳴胴となる。発光ダイオード１４と、スピーカ１７の上蓋２２と、はケーシング１０の前端表面の出音孔１８に設け、可変抵抗１３と、スイッチ１５と、受電端子１６と、はケーシング１０の後端表面に設け（図３参照）、而して、両スピーカ１７の一端は、管体２０に巻き付け、封止共鳴胴の中になる。この実施例に、管体２０の材質は、応用アルミであるが、プラスチック或いは銅などの材質でもよい。
図３に示すように、ケーシング１０の受電端子１６に、変圧器１９を、配設し、変圧器１９を電気コンセントに接続と、制御回路１１に、工作電源を提供し、該制御回路１１は、可変抵抗１３の調整で、オーディオ発振IC１２を通じて、所望の音波を発生し、管体２０を通じて、スピーカ１７に達し、封止共鳴胴なかの共振効果より、さらに、音圧を高め、スピーカ１７により、高音圧音波を発射して、鼠害防止の目的に合うようにする。
図４に示すように、この考案の第２実施例において、鼠害防止器の音波発生装置には、１つのケーシング１０aを設け、ケーシング１０aの内部に設けた制御回路１１は、第１実施例と同じく、別に、違ったところは、該制御回路１１に、１つだけのオーディオ発振IC１２と、１つだけのスピーカ１７を配設、該スピーカ１７は、圧電スピーカ、或いは、超音域圧電スピーカであり、スピーカの下に、同じくで、１つの発光ダイオード１４を設け、このような、単一スピーカの鼠害防止器は、より小さい空間に、適用する。
【図面の簡単な説明】
【０００７】
【図１】この考案の第１実施例の分離斜視図である。
【図２】この考案の第１実施例の立体斜視図である。
【図３】この考案の第１実施例の変圧器を付けた説明図である。
【図４】この考案の第２実施例の立体斜視図である。
【図５】この考案の第１実施例の回路図である。
【符号の説明】
【０００８】
１０       ケーシング
１０a      ケーシング
１１       制御回路
１２       オーディオ発振IC
１３       可変抵抗
１４       発光ダイオード
１５       スイッチ
１６       受電端子
１７       スピーカ
１８       出音孔
１９       変圧器
２０       管体
２１       底蓋
２２       上蓋
２３       ねじ
３０       蓋板
３１       ねじ
【図１】
0003158679.tif 000003
【図２】
0003158679.tif 000004
【図３】
0003158679.tif 000005
【図４】
0003158679.tif 000006
【図５】
0003158679.tif 000007
【手続補正書】
【提出日】平成22年2月5日(2010.2.5)
【手続補正１】
【補正対象書類名】実用新案登録請求の範囲
【補正対象項目名】全文
【補正方法】変更
【補正の内容】
【実用新案登録請求の範囲】
【請求項１】
鼠害防止器の音波発生装置であって、その構造は、１つのケーシングと、該ケーシングの内部に設けた制御回路と、から構成され、前記制御回路には、少なくとも、１つのオーディオ発振ICと、可変抵抗と、複数のコンデンサーと、トランジスタと、抵抗と、１つの発光ダイオードと、１つのスイッチと、１つの受電端子と、少なくとも、１セットの圧電スピーカと、を具備し、前記圧電スピーカと、可変抵抗と、スイッチと、受電端子と、はケーシングの外まで現し、前記受電端子に、１つの変圧器１９を配設し、可変抵抗の調整と、変圧器の増圧と、に通じて、オーディオ発振ICの音波周波数を変化することを特徴とする鼠害防止器の音波発生装置。
【請求項２】
前記１セットの圧電スピーカは、ケーシングのなかに、１つの管体と、１つの底蓋と、圧電スピーカの前端に設けた上蓋と、からなり、前記上蓋は、底蓋とともに、圧電スピーカと管体を挟んで、ねじを用いて締め付け、共鳴胴となることを特徴とする請求項１に記載の鼠害防止器の音波発生装置。
【請求項３】
前記管体は、金属、或いは、プラスチック材質からなる物でもよいことを特徴とする請求項２に記載の鼠害防止器の音波発生装置。
【請求項４】
前記圧電スピーカは、超音域圧電スピーカであることを特徴とする請求項１に記載の鼠害防止器の音波発生装置。